(57)【要約】【課題】建物に設置された複数の設備機器を統合的に制御して、建物における省エネルギー性、安全性、利便性を十分に高めることができる建物の統合制御システムを提供する。【解決手段】統合制御システム１は、建物内に設置された第１設備機器１２ａ〜１２ｓと、建物内に設置され且つ第１設備機器１２ａ〜１２ｓとは異なる第２設備機器１３ａ〜１３ｄと、第１設備機器１２ａ〜１２ｓ及び第２設備機器１３ａ〜１３ｄに接続され、第１設備機器１２ａ〜１２ｓ及び第２設備機器１３ａ〜１３ｄの動作を制御する制御装置１６と、制御装置１６に接続され、第１設備機器１２ａ〜１２ｓ及び第２設備機器１３ａ〜１３ｄの動作情報を取得するサーバ装置１８とを備え、サーバ装置１８は、制御装置１６から送信された第１設備機器１２ａ〜１２ｓの動作情報に基づいて、第２設備機器１３ａ〜１３ｄの動作を制御するための指示情報を制御装置１６に送信する。【選択図】図１
2018125222.tif 000002
【特許請求の範囲】
【請求項１】
建物内に設置された少なくとも１つの第１設備機器と、
前記建物内に設置され、且つ前記第１設備機器とは異なる少なくとも１つの第２設備機器と、
前記少なくとも１つの第１設備機器及び前記少なくとも１つの第２設備機器に接続され、前記少なくとも１つの第１設備機器及び前記少なくとも１つの第２設備機器の動作を制御する制御装置と、
インターネットを介して前記制御装置に接続され、前記少なくとも１つの第１設備機器及び前記少なくとも１つの第２設備機器の動作情報を取得するサーバ装置とを備え、
前記サーバ装置は、前記制御装置から送信された前記少なくとも１つの第１設備機器の動作情報に基づいて、前記少なくとも１つの第２設備機器の動作を制御することを示す指示情報を前記制御装置に送信することを特徴とする、建物の統合制御システム。
【請求項２】
前記少なくとも１つの第１設備機器は、複数のタスク照明装置であり、
前記サーバ装置は、前記制御装置から送信された前記複数のタスク照明装置の動作情報に基づいて、前記少なくとも１つの第２設備機器の動作を制御することを示す指示情報を前記制御装置に送信し、
前記制御装置は、前記サーバ装置から送信された前記指示情報に基づいて、前記少なくとも１つの第２設備機器の動作を制御することを特徴とする、請求項１記載の建物の統合制御システム。
【請求項３】
前記少なくとも１つの第２設備機器は、複数のアンビエント照明装置であり、
前記サーバ装置は、前記制御装置から送信された前記複数のタスク照明装置の動作情報に基づいて、前記複数のアンビエント照明装置の動作を制御することを示す照明指示情報を前記制御装置に送信し、
前記制御装置は、前記サーバ装置から送信された前記照明指示情報に基づいて、前記複数のアンビエント照明装置の動作を制御することを特徴とする、請求項２記載の建物の統合制御システム。
【請求項４】
前記制御装置に接続され、前記複数のタスク照明装置が設置された空間の空気を調整する複数の空調機を更に備え、
前記サーバ装置は、前記制御装置から送信された前記複数のタスク照明装置の動作情報に基づいて、前記複数の空調機の動作を制御することを示す空調指示情報を前記制御装置に送信し、
前記制御装置は、前記サーバ装置から送信された前記空調指示情報に基づいて、前記空調機の動作を制御することを特徴とする、請求項２又は３記載の建物の統合制御システム。
【請求項５】
前記制御装置に接続され、前記複数のタスク照明装置が設置された空間を換気する換気装置を更に備え、
前記サーバ装置は、前記制御装置から送信された前記複数のタスク照明装置の動作情報に基づいて、前記換気装置の動作を制御することを示す換気指示情報を前記制御装置に送信し、
前記制御装置は、前記サーバ装置から送信された前記換気指示情報に基づいて、前記換気装置の動作を制御することを特徴とする、請求項２乃至４のいずれか１項に記載の建物の統合制御システム。
【請求項６】
建物内の異常を検知する少なくとも１つの異常検知部と、
前記建物内に設置される少なくとも１つの設備機器と、
前記少なくとも１つの異常検知部に接続され、前記少なくとも１つの異常検知部からの検知信号に基づいて発報を行う第１制御装置と、
前記少なくとも１つの設備機器に接続され、前記少なくとも１つの設備機器の動作を制御する第２制御装置と、
インターネットを介して前記第１制御装置及び前記第２制御装置に接続され、前記第１制御装置の発報情報を取得するサーバ装置とを備え、
前記サーバ装置は、前記第１制御装置から取得した前記発報情報に基づいて、前記少なくとも１つの設備機器の動作を制御することを示す指示情報を前記第２制御装置に送信することを特徴とする、建物の統合制御システム。
【請求項７】
前記少なくとも１つの異常検知部は、前記建物内の火災を検知する火災検知部であり、
前記第１制御装置は、前記火災検知部からの検知信号に基づいて火災発生を発報する自動火災報知器であり、
前記少なくとも１つの設備機器は、前記建物内の居室及び／又は廊下に設置された複数の照明装置であり、
前記サーバ装置は、前記自動火災報知器から取得した前記火災発生の発報情報に基づいて、前記複数の照明装置の調光動作により前記建物の使用者を避難誘導することを示す避難誘導用指示情報を前記第２制御装置に送信し、
前記第２制御装置は、前記サーバ装置から送信された前記避難誘導用指示情報に基づいて、前記複数の照明装置の調光動作を制御することを特徴とする、請求項６記載の建物の統合制御システム。
【請求項８】
前記少なくとも１つの異常検知部は、前記建物内への第三者の侵入を検知する侵入検知部であり、
前記第１制御装置は、前記侵入検知部からの検知信号に基づいて第三者の侵入を警報する警報器であり、
前記少なくとも１つの設備機器は、前記建物内の居室及び／又は廊下に設置された複数の照明装置であり、
前記サーバ装置は、前記警報器から取得した前記侵入の警報情報に基づいて、前記複数の照明装置の調光動作により前記第三者を威嚇することを示す威嚇用指示情報を前記第２制御装置に送信し、
前記第２制御装置は、前記サーバ装置から送信された前記威嚇用指示情報に基づいて、前記複数の照明装置の調光動作を制御することを特徴とする、請求項６記載の建物の統合制御システム。
【請求項９】
建物内に設置され、前記建物内の設備機器の異常を検知する少なくとも１つの異常検知部と、
前記少なくとも１つの異常検知部に接続され、前記少なくとも１つの異常検知部からの検知信号に基づいて発報を行う制御装置と、
インターネットを介して前記制御装置に接続され、前記制御装置の発報情報を取得するサーバ装置と、
インターネットを介して前記サーバ装置に接続された端末装置とを備え、
前記サーバ装置は、前記制御装置から送信された前記発報情報を前記端末装置に送信し、
前記端末装置は、前記サーバ装置から送信された前記発報情報に基づいて、前記設備機器の異常の発生をユーザに通知することを特徴とする、建物の統合制御システム。
【請求項１０】
建物内の会議室を予約するための予約情報を入力する入力装置と、
前記建物内の前記会議室に設置された少なくとも１つの照明装置と、
前記建物内の会議室の温度を調整する空調機と、
前記少なくとも１つの照明装置及び空調機に接続され、前記少なくとも１つの照明装置及び空調機の動作を制御する制御装置と、
インターネットを介して前記入力装置及び前記制御装置に接続され、前記入力装置の予約情報を取得するサーバ装置とを備え、
前記サーバ装置は、前記入力装置に入力された予約情報に基づいて、前記照明装置の動作を制御することを示す照明指示情報及び前記空調機の動作を制御することを示す空調指示情報の少なくとも一方を前記制御装置に送信し、
前記制御装置は、前記サーバ装置から送信された前記照明指示情報及び／又は前記空調指示情報に基づいて、前記少なくとも１つの照明装置及び前記空調機の少なくとも一方の動作を制御することを特徴とする、建物の統合制御システム。
【発明の詳細な説明】
【技術分野】
【０００１】
本発明は、建物の統合制御システムに関し、特に建物に設置された複数の設備機器を総合的に制御する統合制御システムに関する。
【背景技術】
【０００２】
従来から、建物における照明装置を、インターネットを介して遠隔制御する制御システムが知られている（例えば特許文献１）。従来の制御システムは、建物内に設けられたネットワークシステムと、建物外に設けられた管理サーバと、ネットワークシステム及び管理サーバを通信可能に接続するインターネットとを備える。ネットワークシステムは、照明装置と、照明装置と通信可能に接続された制御装置と、制御装置と通信可能に接続され且つインターネットを介して管理サーバと通信可能に接続されたゲートウェイ装置と、ゲートウェイ装置と通信可能に接続されたユーザ端末とを備える。
【０００３】
従来の制御システムにおいて、制御装置は、照明装置の稼働情報を収集し、この稼働情報を管理サーバへ送信する。また、管理サーバは、受信した稼働情報に基づき、照明装置の動作の制御指示を制御装置に送信する。制御装置は、管理サーバから受信した制御指示に応じて、照明装置及びユーザ端末の動作の制御を行っている。
【０００４】
具体的には、管理サーバが制御装置から各照明装置の故障に関する情報を受信した場合、管理サーバは、故障した照明装置を停止させるための制御指示を制御装置に送信し、且つ当該照明装置が停止されるという情報をユーザ端末に送信する。また、管理サーバが制御装置から各照明装置の寿命に関する情報、交換時期に関する情報、又は省エネルギー推奨に関する情報を受信した場合、管理サーバは、当該照明装置に関する当該情報をユーザ端末に送信する。
【先行技術文献】
【特許文献】
【０００５】
【特許文献１】特開２０１６−６３５１９号公報
【発明の概要】
【発明が解決しようとする課題】
【０００６】
近年、建物の省エネルギー性、安全性、及び利便性を総合的に高める需要が高まってきている。上記特許文献１にあっては、例えばユーザ端末によって受信された照明装置の省エネルギー推奨に関する情報を使用者自身が認識することで、使用者に当該照明装置を消灯する等の行為を促し、これにより建物の省エネルギーを図ることができると考えられる。
【０００７】
しかしながら、上記特許文献１では、各照明装置の稼働情報に基づいて、制御対象である当該照明装置の制御を行っている。このため、一の照明装置の稼働情報に基づいて他の照明装置を制御することができず、建物の省エネルギー性を高めるのに十分とは言えない。特に、オフィスビル等の建物では、様々な種類の照明装置が数多く設置されると共に、空調機や換気設備等の大規模設備が複数設置されるため、このような設備機器が設置された建物の省エネルギー性を更に高め、加えて安全性や利便性を高めるためには新たな統合制御システムを構築する必要がある。
【０００８】
本発明は、以上のような点に鑑みてなされたものであり、建物に設置された複数の設備機器を統合的に制御して、建物における省エネルギー性、安全性、利便性を十分に高めることができる建物の統合制御システムを提供することを目的とする。
【課題を解決するための手段】
【０００９】
上記目的を達成するために、本発明に係る建物の統合制御システムは、建物内に設置された少なくとも１つの第１設備機器と、前記建物内に設置され、且つ前記第１設備機器とは異なる少なくとも１つの第２設備機器と、前記少なくとも１つの第１設備機器及び前記少なくとも１つの第２設備機器に接続され、前記少なくとも１つの第１設備機器及び前記少なくとも１つの第２設備機器の動作を制御する制御装置と、インターネットを介して前記制御装置に接続され、前記少なくとも１つの第１設備機器及び前記少なくとも１つの第２設備機器の動作情報を取得するサーバ装置とを備え、前記サーバ装置は、前記制御装置から送信された前記少なくとも１つの第１設備機器の動作情報に基づいて、前記少なくとも１つの第２設備機器の動作を制御することを示す指示情報を前記制御装置に送信することを特徴とする。
【００１０】
また、本発明の一態様に係る建物の統合制御システムにおいて、前記少なくとも１つの第１設備機器は、複数のタスク照明装置であり、前記サーバ装置は、前記制御装置から送信された前記複数のタスク照明装置の動作情報に基づいて、前記少なくとも１つの第２設備機器の動作を制御することを示す指示情報を前記制御装置に送信し、前記制御装置は、前記サーバ装置から送信された前記指示情報に基づいて、前記少なくとも１つの第２設備機器の動作を制御する。
【００１１】
また、本発明の一態様に係る建物の統合制御システムにおいて、前記少なくとも１つの第２設備機器は、複数のアンビエント照明装置であり、前記サーバ装置は、前記制御装置から送信された前記複数のタスク照明装置の動作情報に基づいて、前記複数のアンビエント照明装置の動作を制御することを示す照明指示情報を前記制御装置に送信し、前記制御装置は、前記サーバ装置から送信された前記照明指示情報に基づいて、前記複数のアンビエント照明装置の動作を制御する。
【００１２】
また、本発明の一態様に係る建物の統合制御システムにおいて、前記制御装置に接続され、前記複数のタスク照明装置が設置された空間の空気を調整する複数の空調機を更に備え、前記サーバ装置は、前記制御装置から送信された前記複数のタスク照明装置の動作情報に基づいて、前記複数の空調機の動作を制御することを示す空調指示情報を前記制御装置に送信し、前記制御装置は、前記サーバ装置から送信された前記空調指示情報に基づいて、前記空調機の動作を制御する。
【００１３】
また、本発明の一態様に係る建物の統合制御システムにおいて、前記制御装置に接続され、前記複数のタスク照明装置が設置された空間を換気する換気装置を更に備え、前記サーバ装置は、前記制御装置から送信された前記複数のタスク照明装置の動作情報に基づいて、前記換気装置の動作を制御することを示す換気指示情報を前記制御装置に送信し、前記制御装置は、前記サーバ装置から送信された前記換気指示情報に基づいて、前記換気装置の動作を制御する。
【００１４】
上記目的を達成するために、本発明に係る建物の統合制御システムは、建物内の異常を検知する少なくとも１つの異常検知部と、前記建物内に設置される少なくとも１つの設備機器と、前記少なくとも１つの異常検知部に接続され、前記少なくとも１つの異常検知部からの検知信号に基づいて発報を行う第１制御装置と、前記少なくとも１つの設備機器に接続され、前記少なくとも１つの設備機器の動作を制御する第２制御装置と、インターネットを介して前記第１制御装置及び前記第２制御装置に接続され、前記第１制御装置の発報情報を取得するサーバ装置とを備え、前記サーバ装置は、前記第１制御装置から取得した前記発報情報に基づいて、前記少なくとも１つの設備機器の動作を制御することを示す指示情報を前記第２制御装置に送信することを特徴とする。
【００１５】
また、本発明の一態様に係る建物の統合制御システムにおいて、前記少なくとも１つの異常検知部は、前記建物内の火災を検知する火災検知部であり、前記第１制御装置は、前記火災検知部からの検知信号に基づいて火災発生を発報する自動火災報知器であり、前記少なくとも１つの設備機器は、前記建物内の居室及び／又は廊下に設置された複数の照明装置であり、前記サーバ装置は、前記自動火災報知器から取得した前記火災発生の発報情報に基づいて、前記複数の照明装置の調光動作により前記建物の使用者を避難誘導することを示す避難誘導用指示情報を前記第２制御装置に送信し、前記第２制御装置は、前記サーバ装置から送信された前記避難誘導用指示情報に基づいて、前記複数の照明装置の調光動作を制御する。
【００１６】
また、本発明の一態様に係る建物の統合制御システムにおいて、前記少なくとも１つの異常検知部は、前記建物内への第三者の侵入を検知する侵入検知部であり、前記第１制御装置は、前記侵入検知部からの検知信号に基づいて第三者の侵入を警報する警報器であり、前記少なくとも１つの設備機器は、前記建物内の居室及び／又は廊下に設置された複数の照明装置であり、前記サーバ装置は、前記警報器から取得した前記侵入の警報情報に基づいて、前記複数の照明装置の調光動作により前記第三者を威嚇することを示す威嚇用指示情報を前記第２制御装置に送信し、前記第２制御装置は、前記サーバ装置から送信された前記威嚇用指示情報に基づいて、前記複数の照明装置の調光動作を制御する。
【００１７】
上記目的を達成するために、本発明に係る建物の統合制御システムは、建物内に設置され、前記建物内の設備機器の異常を検知する少なくとも１つの異常検知部と、前記少なくとも１つの異常検知部に接続され、前記少なくとも１つの異常検知部からの検知信号に基づいて発報を行う制御装置と、インターネットを介して前記制御装置に接続され、前記制御装置の発報情報を取得するサーバ装置と、インターネットを介して前記サーバ装置に接続された端末装置とを備え、前記サーバ装置は、前記制御装置から送信された前記発報情報を前記端末装置に送信し、前記端末装置は、前記サーバ装置から送信された前記発報情報に基づいて、前記設備機器の異常の発生をユーザに通知することを特徴とする。
【００１８】
上記目的を達成するために、本発明に係る建物の統合制御システムは、前記建物内の会議室を予約するための予約情報を入力する入力装置と、前記建物内の前記会議室に設置された少なくとも１つの照明装置と、前記建物内の会議室の温度を調整する空調機と、前記少なくとも１つの照明装置及び空調機に接続され、前記少なくとも１つの照明装置及び空調機の動作を制御する制御装置と、インターネットを介して前記入力装置及び前記制御装置に接続され、前記入力装置の予約情報を取得するサーバ装置とを備え、前記サーバ装置は、前記入力装置に入力された予約情報に基づいて、前記照明装置の動作を制御することを示す照明指示情報及び前記空調機の動作を制御することを示す空調指示情報の少なくとも一方を前記制御装置に送信し、前記制御装置は、前記サーバ装置から送信された前記照明指示情報及び／又は前記空調指示情報に基づいて、前記少なくとも１つの照明装置及び前記空調機の少なくとも一方の動作を制御することを特徴とする。
【発明の効果】
【００１９】
本発明によれば、建物に設置された複数の設備機器を統合的に制御して、建物における省エネルギー性、安全性、利便性を十分に高めることができる。
【図面の簡単な説明】
【００２０】
【図１】本発明の第１実施形態に係る建物の統合制御システムの構成を示す概略図である。
【図２】図１の建物の統合制御システムによる照明装置の制御方法を説明するための平面図であり、（ａ）はタスク照明装置が全て点灯している場合のアンビエント照明装置の動作を示し、（ｂ）はタスク照明装置の一部が消灯している場合のアンビエント照明装置の動作を示す。
【図３】図１の建物の統合制御システムの変形例を説明するための平面図であり、（ａ）はタスク照明装置が全て点灯している場合の空調機及び換気装置の動作を示し、（ｂ）はタスク照明装置の一部が消灯している場合の空調機及び換気装置の動作を示す。
【図４】本発明の第２実施形態に係る建物の統合制御システムの構成及び動作を示す概略図である。
【図５】図４の建物の統合制御システムの変形例を説明するための概略図である。
【図６】本発明の第３実施形態に係る建物の統合制御システムの構成及び動作を示す概略図であり、（ａ）は設備機器の異常が検知された場合の、当該設備機器と同一建物に設けられた端末装置の動作を示し、（ｂ）は設備機器の異常が検知された場合の、当該設備機器が設置された建物とは別の建物内に設けられた端末装置の動作を示す。
【図７】本発明の第４実施形態に係る建物の統合制御システムの構成及び動作を示す概略図である。
【発明を実施するための形態】
【００２１】
以下、本発明の実施形態について図面を参照しながら詳細に説明する。
【００２２】
＜第１実施形態＞
（建物の統合制御システムの構成）
図１は、本発明の第１実施形態に係る建物の統合制御システムの構成を示す概略図である。図１に示すように、建物の統合制御システム１は、建物１１０内に設置された第１設備機器としての複数のタスク照明装置１２ａ〜１２ｓ（図２参照）と、建物１１０内に設置された第２設備機器としての複数のアンビエント照明装置１３ａ〜１３ｄと、タスク照明装置１２ａ〜１２ｓ及びアンビエント照明装置１３ａ〜１３ｄと通信可能に接続された制御装置１６と、インターネット１７を介して制御装置１６と通信可能に接続されたサーバ装置１８とを備える。なお、図１において、タスク照明装置１２ａ〜１２ｓ、アンビエント照明装置１３ａ〜１３ｄの構成は基本的に同じであるため、２階居室１１２及び３階居室１１３において同一符号が付されている。
【００２３】
建物１１０は、様々な種類の照明装置が数多く設置されたビルや商業施設等であり、他例えば１階廊下１１１、２階居室１１２、及び３階居室１１３を有するオフィスビルである。この建物１１０は、１階居室及び１階廊下１１１の天井１１１ａと２階居室１１２及び２階廊下の床１１２ｂとの間に設けられた第１天井空間１１４と、２階居室１１２及び２階廊下の天井１１２ａと３階居室１１３及び３階廊下の床１１３ｂとの間に設けられた第２天井空間１１５と、３階居室１１３及び３階廊下の天井１１３ａと建物１１０の最上部１１０ａとの間に設けられた第３天井空間１１６とを有する。なお、図１においては、１階廊下１１１、２階居室１１２、及び３階居室１１３のみが示されているが、建物１１０は、１階居室、２階廊下、及び３階廊下も有している。
【００２４】
タスク照明装置１２ａ〜１２ｓは、それぞれ建物１１０内のユーザ３０１〜３１８（図２参照）の手元や作業対象物を照光するスポット照明であり、ユーザ３０１〜３１８に対応するデスク２０１〜２１８（図２参照）に１つずつ設けられている。タスク照明装置１２ａ〜１２ｓには電力ケーブル（図示せず）が接続されており、タスク照明装置１２ａ〜１２ｓの点灯／消灯は、タスク照明装置１２ａ〜１２ｓに設けられたタスク照明用スイッチ（図示せず）へのユーザの入力動作により行われる。また、タスク照明装置１２ａ〜１２ｓは、タスク照明用通信ケーブル１２−１に接続されており、該タスク照明用通信ケーブル１２−１を介して制御装置１６に接続されている。制御装置１６とタスク照明装置１２ａ〜１２ｓとの通信は、上述のように有線で行われてもよいし、無線で行われてもよい。
【００２５】
アンビエント照明装置１３ａ〜１３ｄは、２階居室１１２及び３階居室１１３内の全体を均一に照光する長尺状の照明であり、各居室１１２、１１３の天井１１２ａ、１１３ａに等間隔で並べて取り付けられている。なお、アンビエント照明装置１３ａ〜１３ｄは、各居室１１２、１１３の天井１１２ａ、１１３ａ内或いは建物１１０の壁に取り付けられてもよい。アンビエント照明装置１３ａ〜１３ｄには電力ケーブル（図示せず）が接続されており、アンビエント照明装置１３ａ〜１３ｄの点灯／消灯は、後述するように制御装置１６により行われ、また、各居室１１２、１１３に設けられたアンビエント照明用スイッチ（図示せず）へのユーザ３０１〜３１８の入力動作により行うこともできる。アンビエント照明装置１３ａ〜１３ｄは、アンビエント照明用通信ケーブル１３−１に接続されており、該アンビエント照明用通信ケーブル１３−１を介して制御装置１６に接続されている。制御装置１６とアンビエント照明装置１３ａ〜１３ｄとの通信は、上述のように有線で行われてもよいし、無線で行われてもよい。
【００２６】
制御装置１６は、建物１１０全体を集中管理するための管理室等に設置されている。制御装置１６は、タスク照明用通信ケーブル１２−１を介してタスク照明装置１２ａ〜１２ｓと通信可能であり、且つアンビエント照明用通信ケーブル１３−１を介してアンビエント照明装置１３ａ〜１３ｄと通信可能である。また、制御装置１６は、タスク照明装置１２ａ〜１２ｓ及びアンビエント照明装置１３ａ〜１３ｄと通信可能なゲートウェイ（図示せず）を有している。また、制御装置１６は、上記ゲートウェイを介してインターネット１７と接続されている。
【００２７】
この制御装置１６は、建物１１０のタスク照明装置１２ａ〜１２ｓ及びアンビエント照明装置１３ａ〜１３ｄのうちのいずれか又は双方の点灯／消灯情報（動作情報）を取得し、該点灯／消灯情報をサーバ装置１８に送信する。また、制御装置１６は、後述するサーバ装置１８から送信された所定の指示情報に基づいて、タスク照明装置１２ａ〜１２ｓ及び／又はアンビエント照明装置１３ａ〜１３ｄの点灯／消灯動作を制御する。アンビエント照明装置１３ａ〜１３ｄの制御方法の詳細については後述する。
【００２８】
サーバ装置１８は、建物１１０外部のデータ管理施設等に設けられている、いわゆるクラウドサーバ装置である。サーバ装置１８は、インターネット１７を介して制御装置１６のゲートウェイに接続されており、各種アプリケーションを記録媒体（図示せず）から読み出して実行することにより各種制御を実行可能に構成されている。サーバ装置１８は、ＣＰＵ（Central Processing Unit）又はＭＰＵ（Micro-Processing Unit）のプロセッサによって構成された制御部（図示せず）と、該制御部が処理を実行するのに必要なプログラム及びデータを記憶する記憶部（図示せず）とを有している。記憶部は、非一過性であり、かつ、コンピュータ読み取り可能な記憶媒体で構成されている。なお、本発明の統合制御システムの制御方法は、サーバ装置及び又は制御装置のコンピュータにより実行される。
【００２９】
サーバ装置１８は、制御装置１６から送信されたタスク照明装置１２ａ〜１２ｓの点灯／消灯情報に基づいて、アンビエント照明装置１３ａ〜１３ｄの点灯／消灯動作を制御することを示す照明指示情報を制御装置１６に送信する。具体的には、サーバ装置１８は、インターネット１７を介してタスク照明装置１２ａ〜１２ｓの点灯／消灯情報に対応する信号を取得する。また、サーバ装置１８は、上記点灯／消灯情報に基づいてデスク２０１〜２１８での在席の有無を判定し、該判定結果に基づいて上記照明指示情報に対応する信号を制御装置１６に送信する。
【００３０】
（建物の統合制御システムの照明制御）
図２は、図１の建物の統合制御システムによる照明装置の制御方法を説明するための平面図であり、（ａ）はタスク照明装置が全て点灯している場合のアンビエント照明の動作を示し、（ｂ）はタスク照明装置の一部が消灯されている場合のアンビエント照明の動作を示す。図２では、建物１１０の３階居室１１３における照明の制御方法を説明するが、当該照明制御は、２階居室１１２などの他の居室においても同様に適用することができる。
【００３１】
図２（ａ）に示すように、３階居室１１３には、ユーザ３０１〜３１８に対応するデスク２０１〜２１８と、デスク２０１〜２１８に一対一対応で設置されたタスク照明装置１２ａ〜１２ｓとが設けられている。デスク群Ａの後方（図２（ａ）における左端）に位置する天井１１３ａの部分には、アンビエント照明装置１３ａが設けられている。また、デスク群Ａとデスク群Ｂとの間に位置する天井１１３ａの部分には、アンビエント照明装置１３ｂが設けられ、デスク群Ｂとデスク群Ｃとの間に位置する天井１１３ａの部分には、アンビエント照明装置１３ｃが設けられている。更に、デスク群Ｃの後方（図２（ａ）における右端）に位置する天井１１３ａの部分には、アンビエント照明装置１３ｄが設けられている。
【００３２】
図２（ａ）において、タスク照明装置１２ａ〜１２ｓは、ユーザ３０１〜３１８がタスク照明用スイッチをＯＮすることにより、全て点灯している。この場合、制御装置１６は、タスク照明用通信ケーブル１２−１を介してタスク照明装置１２ａ〜１２ｓの点灯情報を取得すると共に、インターネット１７を介して当該点灯情報をサーバ装置１８へ送信する。サーバ装置１８は、制御装置１６から送信された点灯情報を取得し、当該点灯情報に基づいて、全てのユーザ３０１〜３１８がデスク２０１〜２１８に在席していると判定する。また、サーバ装置１８は、タスク照明１２ａ〜１２ｓの点灯情報と、予め取得したタスク照明１２ａ〜１２ｓの位置情報とを紐付けることにより、３階居室１１３に配置された全てのデスク２０１〜２１８での在席の有無を判定することができる。そして、サーバ装置１８は、当該判定結果に基づいて、全てのアンビエント照明装置１３ａ〜１３ｄを点灯させることを示す照明指示情報を制御装置１６に送信する。
【００３３】
制御装置１６は、サーバ装置１８から送信された、全てのアンビエント照明装置１３ａ〜１３ｄを点灯させることを示す照明指示情報に基づいて、アンビエント照明装置１３ａ〜１３ｄを点灯させる。この結果、図２（ａ）に示すように、ユーザ３０１〜３１８が３階居室１１３の出入り口付近に設けられたアンビエント照明用スイッチをＯＮ操作すること無く、３階居室１１３のアンビエント照明装置１３ａ〜１３ｄは全て点灯する。
【００３４】
図２（ｂ）は、タスク照明装置１２ａ〜１２ｓの一部が消灯されている場合のアンビエント照明装置の動作を示す。同図において、ユーザ３０２、３０７、３０９、３１２〜３１４が在席しており、それぞれのユーザ（デスク）に対応するタスク照明装置１２ｂ、１２ｇ、１２ｉ、１２ｌ〜１２ｎが点灯し、他のタスク照明装置１２ａ、１２ｃ〜１２ｆ、１２ｈ、１２ｊ、１２ｋ、１２ｐ〜１２ｓが消灯している。
【００３５】
この場合、制御装置１６は、タスク照明用通信ケーブル１２−１を介して、タスク照明装置１２ｂ、１２ｇ、１２ｉ、１２ｌ〜１２ｎの点灯情報及び／又は残りのタスク照明装置の消灯情報を取得すると共に、インターネット１７を介して当該点灯／消灯情報をサーバ装置１８へ送信する。サーバ装置１８は、制御装置１６から送信された点灯／消灯情報を取得し、当該点灯／消灯情報に基づいて、ユーザ３０２、３０７、３０９、３１２〜３１４がデスク２０２、２０７、２０９、２１２〜２１４に在席していると判定する。そしてサーバ装置１８は、当該判定結果に基づいて、アンビエント照明装置１３ａ、１３ｂ、１３ｄを点灯させ且つアンビエント照明装置１３ｃを消灯させることを示す照明指示情報を制御装置１６に送信する。
【００３６】
制御装置１６は、サーバ装置１８から送信された、アンビエント照明装置１３ａ、１３ｂ、１３ｄを点灯させ且つアンビエント照明装置１３ｃを消灯させることを示す照明指示情報に基づいて、アンビエント照明装置１３ａ、１３ｂ、１３ｄを点灯させ、アンビエント照明装置１３ｃを消灯させる。この結果、図２（ｂ）に示すように、ユーザ３０１〜３１８が３階居室１１３の出入り口付近に設けられたアンビエント照明用スイッチをＯＦＦ操作すること無く、３階居室１１３のアンビエント照明装置１３ｃが消灯する。これにより照明による消費電力が低減されると共に、３階居室１１３内での必要な照度或いは輝度が確保される。
【００３７】
（建物の統合制御システムの照明制御の変形例）
上記照明制御においては、タスク照明装置１２ａ〜１２ｓの点灯情報に基づいて、アンビエント照明装置１３ａ〜１３ｄのＯＮ／ＯＦＦを制御したが、本発明における照明制御はこれに限られるものではない。例えば、図２（ｂ）に示すように、デスク群Ｃにユーザ３１２のみが在席している場合、サーバ装置１８は、当該アンビエント照明装置１３ｄの照度或いは輝度を低下させる照明指示情報を制御装置１６に送信することも可能である。
【００３８】
また、ユーザ３０１〜３１８が３階居室１１３の出入り口付近に設けられたアンビエント照明用スイッチをＯＦＦ操作することにより全てのアンビエント照明装置１３ａ〜１３ｄを消灯させたものの、タスク照明装置１２ａ〜１２ｓを消し忘れた場合であっても、サーバ装置１８は、アンビエント照明装置１３ａ〜１３ｄの消灯情報に基づいて、タスク照明装置１２ａ〜１２ｓを消灯させることを示す照明指示情報を、制御装置１６に送信することも可能である。
【００３９】
また、デスク２０１〜２１８に、制御装置１６に接続された人感センサやカメラ等（以下、単に「人感センサ等」という。）を設置することも可能である。これにより、ユーザ３０１〜３１８がタスク照明装置１２ａ〜１２ｓを消し忘れた場合であっても、サーバ装置１８は、ユーザ３０１〜３１８の在席状況を判定することができる。このとき、サーバ装置１８は制御装置１６から送信された検知情報を取得し、当該検知情報に基づいてユーザ３０１〜３１８の在席の有無を判定し、該判定結果に基づいて、所定のアンビエント照明装置１３ａ〜１３ｄを消灯し且つその他のアンビエント照明装置１３ａ〜１３ｄの点灯を維持することを示す照明指示情報を、制御装置１６に送信することができる。
【００４０】
（建物の統合制御システムの空調制御及び換気制御）
図３は、建物の統合制御システムの変形例を説明するための平面図であり、（ａ）はタスク照明装置が全て点灯している場合の空調機及び換気装置の動作を示し、（ｂ）はタスク照明装置の一部が消灯している場合の空調機及び換気装置の動作を示す。図３においては、建物１１０の３階居室１１３における空調機及び換気装置の制御方法を説明する。また、図３において図２と対応する部分については同一符号を付し、主として上記図２における照明制御との相違点について説明する。
【００４１】
図３（ａ）に示すように、建物の統合制御システム１は、タスク照明装置１２ａ〜１２ｓが設置された３階居室１１３の空気を調整する複数の空調機１４ａ、１４ｂと、タスク照明装置１２ａ〜１２ｓが設置された３階居室１１３を換気する換気装置１５とを備えている。
【００４２】
空調機１４ａ、１４ｂは、例えば第３天井空間１１６（図１）に設置される室内機であり、３階居室１１３内の温度を調整するものである。具体的には、空調機１４ａ、１４ｂは、建物１１０の外部に設置された室外機（図示せず）と、冷媒の循環流路をなす配管（図示せず）により接続されている。空調機１４ａ、１４ｂには電力ケーブル（図示せず）が接続されており、空調機１４ａ、１４ｂのＯＮ／ＯＦＦは、後述するように制御装置１６により行われ、また、３階居室１１３に設けられた空調機用リモコン（図示せず）へのユーザ３０１〜３１８の入力動作により行うこともできる。空調機１４ａ、１４ｂは、空調機用通信ケーブル１４−１に接続されており、該空調機用通信ケーブル１４−１を介して制御装置１６に接続されている。制御装置１６と空調機１４ａ、１４ｂとの通信は、上述のように有線で行われてもよいし、無線で行われてもよい。
【００４３】
換気装置１５は、例えば建物１１０内に設置されて、３階居室１１３内の換気を行うものである。具体的には、換気装置１５は、建物１１０の外部から外気を導入する外気導入ダクト１５２と、３階居室１１３内の空気を還流させる還気ダクト１５３と、外気導入ダクト１５２及び還気ダクト１５３を通過した空気が合流すると共に、後述する外気処理部１５５の上流側に接続された合流ダクト１５４と、合流ダクト１５４を介して流入した建物１１０の外部からの外気及び３階居室１１３内の空気を処理する外気処理部１５５と、外気処理部１５５の下流側に接続された給気ダクト１５６と、外気導入ダクト１５２に配置された第１風量調整ダンパ１５７と、還気ダクト１５３に配置された第２風量調整ダンパ１５８とを有する。
【００４４】
この建物１１０では、換気装置１５により３階居室１１３内に外気が導入され、３階居室１１３の天井１１３ａに設けられた排気装置１１７を介して建物１１０外部に排出される。換気装置１５には電力ケーブル（図示せず）が接続されており、換気装置１５による外気導入量の調整は、後述するように制御装置１６により行われ、また、建物１１０の管理室等に設けられた機器への管理者の入力動作により行うこともできる。換気装置１５に設けられた第１風量調整ダンパ１５７及び第２風量調整ダンパ１５８は、換気装置用通信ケーブル１５−１に接続されており、該換気装置用通信ケーブル１５−１を介して制御装置１６に接続されている。制御装置１６と第１風量調整ダンパ１５７及び第２風量調整ダンパ１５８との通信は、上述のように有線で行われてもよいし、無線で行われてもよい。また、本実施形態ではタスク照明装置１２ａ〜１２ｓ、アンビエント照明装置１３ａ〜１３ｄ、空調機１４ａ、１４ｂ及び換気装置１５に共通する１つの制御装置１６が設けられているが、これに限らず、照明装置、空調機及び換気装置にそれぞれ対応する複数の制御装置が設けられてもよい。
【００４５】
図３（ａ）においては、図２（ａ）と同様、タスク照明装置１２ａ〜１２ｓは、ユーザ３０１〜３１８がタスク照明用スイッチをＯＮすることにより、全て点灯している。この場合、制御装置１６は、タスク照明用通信ケーブル１２−１を介してタスク照明装置１２ａ〜１２ｓの点灯情報を取得すると共に、インターネット１７を介して当該点灯情報をサーバ装置１８へ送信する。サーバ装置１８は、制御装置１６から送信された点灯情報を取得し、当該点灯情報に基づいて、全てのユーザ３０１〜３１８がデスク２０１〜２１８に在席していると判定する。そしてサーバ装置１８は、当該判定結果に基づいて、全ての空調機１４ａ、１４ｂを運転させることを示す空調指示情報を制御装置１６に送信する。
【００４６】
制御装置１６は、サーバ装置１８から送信された、全ての空調装置１４ａ、１４ｂを運転させることを示す空調指示情報に基づいて、空調装置１４ａ、１４ｂを稼働させる。この結果、図３（ａ）に示すように、ユーザ３０１〜３１８が３階居室１１３の出入り口付近に設けられた空調機用リモコン（図示せず）をＯＮ操作すること無く、３階居室１１３の全ての空調機１４ａ、１４ｂが稼働する。
【００４７】
また、サーバ装置１８は、上記判定結果に基づいて、第１風量調整ダンパ１５７の開度を１００％とし且つ第２風量調整ダンパ１５８の開度を０％にすることを示す換気指示情報を制御装置１６に送信する。この結果、外気処理部１５５を通過して給気ダクト１５６の吹出口１５６ａから３階居室１１３内に導入された外気は、還気ダクト１５３の吸込口１５３ａを介して還気ダクト１５３に戻ること無く、全て排気装置１１７から外部に排出される。
【００４８】
図３（ｂ）は、タスク照明装置の一部が消灯している場合の空調機及び換気装置の動作を示す。同図では、図２（ｂ）と同様、ユーザ３０２、３０７、３０９、３１２〜３１４が在席しており、それぞれのユーザ（デスク）に対応するタスク照明装置１２ｂ、１２ｇ、１２ｉ、１２ｌ〜１２ｎのみが点灯し、残りのタスク照明装置が消灯している。
【００４９】
この場合、制御装置１６は、タスク照明用通信ケーブル１２−１を介して、タスク照明装置１２ｂ、１２ｇ、１２ｉ、１２ｌ〜１２ｎの点灯情報及び／又はタスク照明装置１２ａ、１２ｃ〜１２ｆ、１２ｈ、１２ｊ、１２ｋ、１２ｐ〜１２ｓの消灯情報を取得すると共に、インターネット１７を介して、当該点灯／消灯情報をサーバ装置１８へ送信する。サーバ装置１８は、制御装置１６から送信された当該点灯／消灯情報を取得し、当該点灯／消灯情報に基づいて、ユーザ３０２、３０７、３０９、３１２〜３１４がデスク２０２、２０７、２０９、２１２〜２１４に在席していると判定する。そしてサーバ装置１８は、当該判定結果に基づいて、一方の空調機１４ｂの運転を停止し且つ他方の空調機１４ａの運転を維持することを示す空調指示情報を制御装置１６に送信する。
【００５０】
制御装置１６は、サーバ装置１８から送信された、一方の空調機１４ｂの運転を停止し且つ他方の空調機１４ａの運転を維持することを示す空調指示情報に基づいて、空調機１４ｂの運転を停止し且つ空調機１４ａの運転を維持する。この結果、図３（ｂ）に示すように、ユーザ３０１〜３１８が３階居室１１３の出入り口付近に設けられた空調機用リモコン（図示せず）をＯＦＦ操作すること無く、３階居室１１３の空調機１４ｂの稼働が停止する。これにより、空調による消費電力が低減されると共に、３階居室１１３の適正な室内温度が確保される。
【００５１】
また、サーバ装置１８は、上記判定結果に基づいて、第１風量調整ダンパ１５７の開度を５０％とし且つ第２風量調整ダンパ１５８の開度を５０％にすることを示す換気指示情報を制御装置１６に送信する。
【００５２】
制御装置１６は、サーバ装置１８から送信された、第１風量調整ダンパ１５７の開度を５０％とし且つ第２風量調整ダンパ１５８の開度を５０％にすることを示す換気指示情報に基づいて、第１風量調整ダンパ１５７の開度を５０％とし且つ第２風量調整ダンパ１５８の開度を５０％にする。この結果、外気処理部１５５を通過して給気ダクト１５６の吹出口１５６ａから３階居室１１３内に導入された外気は、その５０％分が吸込口１５３ａを介して還気ダクト１５３に戻る。還気ダクト１５３に戻された外気は、外気導入ダクト１５２を介して導入された外気の５０％分と合流し、３階居室１１３内に再導入されることになる。この場合、３階居室１１３内に導入された外気は、その５０％分が排気装置１１７から外部に排出される。これにより、外気処理及び換気による消費電力が低減されると共に、３階居室１１３での必要換気量が確保される。
【００５３】
（建物の統合制御システムの空調制御の変形例）
上記空調制御においては、タスク照明装置１２ａ〜１２ｓの点灯情報に基づいて、空調機１４ａ、１４ｂの運転維持／停止を制御したが、本発明における空調制御はこれに限られるものではない。例えば、図３（ｂ）に示すように、デスク群Ｃにユーザ３１２のみが在席している場合、サーバ装置１８は、空調機１４ｂの運転を完全に停止させるのではなく、空調機１４ｂを省エネモードで稼働することを示す空調指示情報を制御装置１６に送信することも可能である。
【００５４】
また、ユーザ３０１〜３１８が３階居室１１３の出入り口付近に設けられたアンビエント照明用スイッチをＯＦＦ操作することにより全てのアンビエント照明装置１３ａ〜１３ｄが消灯されたものの、タスク照明装置１２ａ〜１２ｓの消灯を忘れた場合、サーバ装置１８は、アンビエント照明装置１３ａ〜１３ｄの消灯情報に基づいて、空調機１４ａ、１４ｂの運転を停止させることを示す空調指示情報を制御装置１６に送信することも可能である。
【００５５】
また、上述のように人感センサ等を設置した場合、サーバ装置１８は、制御装置１６から送信された検知情報を取得し、当該検知情報に基づいてユーザの在席の有無を判定し、該判定結果に基づいて、一方の空調機１４ｂの運転を停止し且つ他方の空調機１４ａの運転を維持することを示す空調指示情報を、制御装置１６に送信することができる。
【００５６】
（建物の統合制御システムの換気制御の変形例）
上記換気制御においては、タスク照明装置１２ａ〜１２ｓの点灯情報に基づいて、換気装置１５における第１風量調整ダンパ１５７及び第２風量調整ダンパ１５８の開度を制御したが、本発明における換気制御はこれに限られるものではない。例えば、ユーザ３０１〜３１８が３階居室１１３の出入り口付近に設けられたアンビエント照明用スイッチをＯＦＦ操作することにより全てのアンビエント照明装置１３ａ〜１３ｄを消灯させたものの、タスク照明装置１２ａ〜１２ｓの消灯を忘れた場合、サーバ装置１８は、アンビエント照明装置１３ａ〜１３ｄの消灯情報に基づいて、第１風量調整ダンパ１５７及び第２風量調整ダンパ１５８の開度を変更することを示す換気指示情報を、制御装置１６に送信することも可能である。
【００５７】
また、上述のように人感センサ等を設置した場合、サーバ装置１８は、制御装置１６から送信された検知情報を取得し、当該検知情報に基づいてユーザの在席の有無を判定し、該判定結果に基づいて、第１風量調整ダンパ１５７及び第２風量調整ダンパ１５８の開度を変更することを示す換気指示情報を、制御装置１６に送信することも可能である。
【００５８】
上述したように、第１実施形態によれば、サーバ装置１８は、制御装置１６から送信されたタスク照明装置１２ａ〜１２ｓの点灯／消灯情報、すなわちユーザ３０１〜３１８のデスク２０１〜２１８における在席状況に基づいて、アンビエント照明装置１３ａ〜１３ｄの動作を制御することを示す照明指示情報を制御装置１６に送信する。そして、制御装置１６は、サーバ装置１８から送信された照明指示情報に基づいて、在席しているユーザに対応する天井１１３ａの部分に配置されたアンビエント照明装置を消灯又は点灯するように制御する。これによりアンビエント照明装置による無駄な消費電力が低減されると共に、３階居室１１３内での必要な照度或いは輝度が確保される。このように、建物１１０に設置されたタスク照明装置１２ａ〜１２ｓ及びアンビエント照明装置１３ａ〜１３ｄを統合的に制御することにより、建物１１０における省エネルギー性を十分に高めることができる。
【００５９】
また、サーバ装置１８は、制御装置１６から送信されたタスク照明装置１２ａ〜１２ｓの点灯／消灯情報に基づいて、空調機１４ａ、１４ｂの動作を制御することを示す空調指示情報を制御装置１６に送信する。そして、制御装置１６は、サーバ装置１８から送信された空調指示情報に基づいて、在席しているユーザが少ない場所に対応する居室空間を空調する空調機の運転を停止し、或いは在席しているユーザが多い場所に対応する居室空間を空調する空調機の運転を再開するように制御する。これにより空調による無駄な消費電力が低減されると共に、３階居室１１３の適正な室内温度が確保される。このように、建物１１０に設置された空調機１４ａ、１４ｂを統合的に制御することにより、建物１１０における省エネルギー性を十分に高めることができる。
【００６０】
また、サーバ装置１８は、制御装置１６から送信されたタスク照明装置１２ａ〜１２ｓの点灯／消灯情報に基づいて、換気装置１５の動作を制御することを示す換気指示情報を制御装置１６に送信する。そして、制御装置１６は、サーバ装置１８から送信された換気指示情報に基づいて、３階居室１１３に在席しているユーザの数が少ない場合に第１風量調整ダンパ１５７の開度を減少し且つ第２風量調整ダンパ１５８の開度を増大するように制御し、或いは３階居室１１３に在席しているユーザの数が多い場合に第１風量調整ダンパ１５７の開度を増大し且つ第２風量調整ダンパ１５８の開度を減少するように制御する。これにより、外気処理による無駄な消費電力が低減されると共に、３階居室１１３での必要換気量が確保される。このように、建物１１０に設置された換気装置１５を制御することにより、建物１１０における省エネルギー性を十分に高めることができる。
【００６１】
更に、制御装置１６は、タスク照明装置１２ａ〜１２ｓの点灯／消灯状況或いはアンビエント照明装置１３ａ〜１３ｄの点灯／消灯状況に応じ、アンビエント照明装置１３ａ〜１３ｄの点灯／消灯、空調機１４ａ、１４ｂの運転維持／停止、並びに換気装置１５における第１風量調整ダンパ１５７及び第２風量調整ダンパ１５８の開度のうちの少なくとも２つを統合的に制御することができるので、建物１１０における省エネルギー性を格段に高めることができる。
【００６２】
＜第２実施形態＞
（建物の統合制御システムの構成）
図４は、本発明の第２実施形態に係る建物の統合制御システムの構成及び動作を示す概略図である。なお、図４において、図１と対応する部分については同一符号を付し、主として上記図１における建物の統合制御システムとの相違点について説明する。
【００６３】
図４に示すように、建物の統合制御システム２は、建物１１０に設置された火災検知部１９ａ〜１９ｄ（異常検知部）と、建物１１０内に設置されたアンビエント照明装置１３ａ〜１３ｄ及び廊下照明装置２０ａ〜２０ｆ（設備機器）と、火災検知部１９ａ〜１９ｄと通信可能に接続された自動火災報知器２１（第１制御装置）と、アンビエント照明装置１３ａ〜１３ｄ及び廊下照明装置２０ａ〜２０ｆと通信可能に接続された照明制御装置２２（第２制御装置）と、インターネット１７を介して自動火災報知器２１及び照明制御装置２２と通信可能に接続されたサーバ装置１８とを備える。
【００６４】
建物１１０は、例えば１階居室（図示せず）及び１階廊下１１１、２階居室１１２及び２階廊下（図示せず）、並びに３階居室１１３及び３階廊下（図示せず）を有するオフィスビルである。この建物１１０は、１階廊下１１１に、該１階廊下１１１から外部に繋がる出入口１１８を有する。また、建物１１０は、１階廊下１１１と２階廊下及び３階廊下とをそれぞれ接続する非常階段を有している。
【００６５】
火災検知部１９ａ〜１９ｄは、火災Ｆにより発生する熱、煙及び／又は炎等を自動的に検知するセンサであり、建物１１０の２階居室１１２の天井１１２ａに設置されている。図４においては、２階居室１１２の天井１１２ａに設置された火災検知部１９ａ〜１９ｄが示されているが、該火災検知部１９ａ〜１９ｄはその他必要な警戒区域（例えば１階居室及び１階廊下１１１、２階廊下、並びに３階居室１１３及び３階廊下等）にも設置されている。火災検知部１９ａ〜１９ｄは、火災用通信ケーブル１９−１に接続されており、該火災用通信ケーブル１９−１を介して自動火災報知器２１に接続されている。自動火災報知器２１と火災検知部１９ａ〜１９ｄとの通信は、上述のように有線で行われてもよいし、無線で行われてもよい。
【００６６】
アンビエント照明装置１３ａ〜１３ｄは、図１と同様、３階居室１１３の天井１１３ａに等間隔で並べて取り付けられており、該アンビエント照明装置１３ａ〜１３ｄの点滅（調光）は、後述するように照明制御装置２２により行われる。アンビエント照明装置１３ａ〜１３ｄは、アンビエント照明用通信ケーブル１３−１に接続されており、該アンビエント照明用通信ケーブル１３−１を介して照明制御装置２２に接続されている。照明制御装置２２とアンビエント照明装置１３ａ〜１３ｄとの通信は、上述のように有線で行われてもよいし、無線で行われてもよい。なお、図４では３階居室１１３の天井１１３ａに設置されたアンビエント照明装置１３ａ〜１３ｄが示されているが、該アンビエント照明装置１３ａ〜１３ｄは１階居室の天井１１１ａ及び２階居室１１２の天井１１２ａにも同様に設置されている。
【００６７】
廊下照明装置２０ａ〜２０ｆは、１階廊下１１１内の全体を照光する照明であり、１階廊下１１１の天井１１１ａに等間隔で並べて取り付けられている。廊下照明装置２０ａ〜２０ｆは電力ケーブル（図示せず）に接続されており、廊下照明装置２０ａ〜２０ｆの点滅（調光）は、後述するように照明制御装置２２により行われる。廊下照明装置２０ａ〜２０ｆは、廊下照明用通信ケーブル２０−１に接続されており、該廊下照明用通信ケーブル２０−１を介して照明制御装置２２に接続されている。照明制御装置２２と廊下照明装置２０ａ〜２０ｆとの通信は、上述のように有線で行われてもよいし、無線で行われてもよい。なお、図４では１階廊下１１１の天井１１１ａに取り付けられた廊下照明装置２０ａ〜２０ｆが示されているが、該廊下照明装置２０ａ〜２０ｆは、２階廊下の天井１１２ａ及び３階廊下の天井１１３ａにも同様に取り付けられている。
【００６８】
自動火災報知器２１は、例えば建物１１０全体を集中管理するための管理室等に設置されている。自動火災報知器２１は、火災用通信ケーブル１９−１を介して火災検知部１９ａ〜１９ｄと通信可能である。また、自動火災報知器２１は、火災検知部１９ａ〜１９ｄと通信可能なゲートウェイ（図示せず）を有している。また、自動火災報知器２１は、ゲートウェイ（図示せず）を介してインターネット１７と接続されている。
【００６９】
この自動火災報知器２１は、建物１１０の火災検知部１９ａ〜１９ｄからの検知信号を取得し、該検知信号に基づいて火災発生の発報情報をサーバ装置１８に送信する。
【００７０】
照明制御装置２２は、例えば建物１１０全体を集中管理するための管理室等に設置されている。照明制御装置２２は、アンビエント照明用通信ケーブル１３−１を介してアンビエント照明装置１３ａ〜１３ｄと通信可能であり、且つ廊下照明用通信ケーブル２０−１を介して廊下照明装置２０ａ〜２０ｆと通信可能である。また、照明制御装置２２は、アンビエント照明装置１３ａ〜１３ｄ及び廊下照明装置２０ａ〜２０ｆと通信可能なゲートウェイ（図示せず）を有している。また、照明制御装置２２は、上記ゲートウェイを介してインターネット１７と接続されている。
【００７１】
この照明制御装置２２は、後述するサーバ装置１８から送信された所定の指示情報に基づいて、アンビエント照明装置１３ａ〜１３ｄの点滅（調光）動作及び／又は廊下照明装置２０ａ〜２０ｆの点滅（調光）動作を制御する。アンビエント照明装置１３ａ〜１３ｄ及び廊下照明装置２０ａ〜２０ｆの制御方法の詳細については後述する。
【００７２】
サーバ装置１８は、インターネット１７を介して自動火災報知器２１及び照明制御装置２２のゲートウェイに接続されており、各種アプリケーションを記録媒体（図示せず）から読み出して実行することにより各種制御を実行可能に構成されている。
【００７３】
サーバ装置１８は、自動火災報知器２１から送信された火災発生の発報情報に基づいて、アンビエント照明装置１３ａ〜１３ｄの点滅（調光）動作及び／又は廊下照明装置２０ａ〜２０ｆの点滅（調光）動作により建物１１０のユーザ３１９（避難者ともいう）を避難誘導することを示す避難誘導用指示情報を照明制御装置２２に送信する。具体的には、サーバ装置１８は、インターネット１７を介して自動火災報知器２１から送信された火災発生の発報情報に対応する信号を取得する。また、サーバ装置１８は、上記発報情報に基づいて、建物１１０のユーザ３１９が火災Ｆの被害を受けずに避難するために最適な避難誘導経路を判定し、該判定結果に基づいて上記避難誘導用指示情報に対応する信号を照明制御装置２２に送信する。
【００７４】
（建物の統合制御システムの避難誘導用調光制御）
図４では、建物１１０の２階居室１１２において火災Ｆが発生した場合の、３階居室１１３のアンビエント照明装置１３ａ〜１３ｄ及び１階廊下１１１の廊下照明装置２０ａ〜２０ｆの調光制御方法を説明するが、当該調光制御は、他の居室及び廊下においても同様に適用することができる。
【００７５】
図４に示すように、２階居室１１２内において火災Ｆが発生した場合、自動火災報知器２１は、火災用通信ケーブル１９−１を介して火災検知部１９ａ〜１９ｄの検知信号を取得すると共に、インターネット１７を介して当該検知信号に基づく火災の発報情報をサーバ装置１８へ送信する。サーバ装置１８は、自動火災報知器２１から送信された発報情報を取得し、当該発報情報に基づいて、建物１１０において火災Ｆが発生していると判定する。更に、サーバ装置１８は、当該判定結果及び予め取得した建物１１０の避難経路マップに基づいて、建物１１０のユーザ３１９が火災Ｆに因る被害を受けずに避難するための最適な避難誘導経路を決定する。そして、サーバ装置１８は、上記で決定された当該最適な避難誘導経路に沿ってアンビエント照明装置１３ａ〜１３ｄ及び廊下照明装置２０ａ〜２０ｆを点滅させることを示す避難誘導用指示情報を照明制御装置２２に送信する。
【００７６】
照明制御装置２２は、サーバ装置１８から送信された、避難誘導経路に沿ってアンビエント照明装置１３ａ〜１３ｄ及び廊下照明装置２０ａ〜２０ｆを点滅させることを示す避難誘導用指示情報に基づいて、アンビエント照明装置１３ａ〜１３ｄ及び廊下照明装置２０ａ〜２０ｆを点滅させる。例えば、照明制御装置２２は、廊下照明装置２０ａ〜２０ｆを出入口１１８に向かう方向に沿って時間差で順次点滅させ、廊下照明装置２０ａ〜２０ｆの光が出入口１１８に向かって流れるように照明させる。また、照明制御装置２２は、避難誘導経路を示す方向、例えば３階居室１１３からの避難者が非常階段（図示せず）を通って最短で出入口１１８に到達することが可能な方向に沿って、アンビエント照明装置１３ａ〜１３ｄを時間差で順次点滅させ、アンビエント照明装置１３ａ〜１３ｆの光が上記避難誘導経路を示す方向に流れるように照明させる。この結果、３階居室１１３から１階廊下１１１を経由して出入口１１８に至る最適な避難誘導経路に沿って、アンビエント照明装置１３ａ〜１３ｄ及び廊下照明装置２０ａ〜２０ｆが点滅し、建物１１０内の避難者のための最適な避難誘導経路が確保される。
【００７７】
（建物の統合制御システムの避難誘導用調光制御の変形例）
上記避難誘導用調光制御においては、自動火災報知器２１による火災の発報情報に基づいて、同一の建物１１０内におけるアンビエント照明装置１３ａ〜１３ｄ及び廊下照明装置２０ａ〜２０ｆの点滅制御をしたが、本発明における避難誘導用調光制御はこれに限られるものではない。例えば、建物１１０に設置された照明制御装置２２を、増幅器を介して少なくとも１つの他の建物（図示せず）に設置された照明制御装置と有線又は無線により接続することも可能である。例えば、建物１１０が上記少なくとも１つの他の建物と渡り廊下等により連結されている場合、サーバ装置１８は、火災Ｆが発生した建物１１０から他の建物を経由して外部へ避難させるための避難誘導経路に沿って、アンビエント照明装置１３ａ〜１３ｄ及び廊下照明装置２０ａ〜２０ｆを点滅させることを示す避難誘導用指示情報を照明制御装置２２に送信することができる。これにより、複数の建物が隣接するオフィスビル群や複合施設等で災害が発生した場合に、多くの避難者を速やかに且つ安全に避難所に誘導することが可能となる。
【００７８】
（建物の統合制御システムの威嚇用調光制御）
図５は、図４の建物の統合制御システムの変形例を説明するための概略図である。図５において、図４と対応する部分については同一符号を付し、主として上記図４における建物の統合制御システムとの相違点について説明する。
【００７９】
図５に示すように、建物の統合制御システム２ａは、建物１１０に設置された侵入検知部３０（異常検知部）と、建物１１０内に設置されたアンビエント照明装置１３ａ〜１３ｄ及び廊下照明装置２０ａ〜２０ｆ（設備機器）と、侵入検知部３０と通信可能に接続された警報器２３（第１制御装置）と、アンビエント照明装置１３ａ〜１３ｄ及び廊下照明装置２０ａ〜２０ｆと通信可能に接続された照明制御装置２２（第２制御装置）と、インターネット１７を介して警報器２３及び照明制御装置２２と通信可能に接続されたサーバ装置１８とを備える。
【００８０】
侵入検知部３０は、例えば人の動きを自動的に検知するセンサ（例えば赤外線センサや監視カメラ等）である。侵入検知部３０は、建物１１０の１階廊下１１１における出入口１１８近傍に設置されている。侵入検知部３０は、侵入検知用通信ケーブル３０−１に接続されており、該侵入検知用通信ケーブル３０−１を介して警報器２３に接続されている。警報器２３と侵入検知部３０との通信は、上述のように有線で行われてもよいし、無線で行われてもよい。なお、図５では建物１１０の出入口１１８近傍に設置された侵入検知部３０が示されているが、該侵入検知部３０はその他必要な警戒区域（例えば１階廊下１１１の窓（図示せず）等）に設置されていてもよい。また、侵入検知部３０は、出入口１１８の開閉を検知するセンサであってもよいし、１つだけ設けられてもよい。
【００８１】
警報器２３は、建物１１０全体を集中管理するための管理室等に設置されている。警報器２３は、侵入検知用通信ケーブル３０−１を介して侵入検知部３０と通信可能である。また、警報器２３は、侵入検知部３０と通信可能なゲートウェイ（図示せず）を有している。また、警報器２３は、ゲートウェイ（図示せず）を介してインターネット１７と接続されている。
【００８２】
この警報器２３は、建物１１０の侵入検知部３０からの検知信号を取得し、該検知信号に基づいて第三者３２０の侵入の警報情報をサーバ装置１８に送信する。
【００８３】
サーバ装置１８は、インターネット１７を介して警報器２３及び照明制御装置２２のゲートウェイに接続されており、各種アプリケーションを記録媒体（図示せず）から読み出して実行することにより各種制御を実行可能に構成されている。
【００８４】
サーバ装置１８は、警報器２３から送信された第三者３２０の侵入の警報情報に基づいて、アンビエント照明装置１３ａ〜１３ｄの点滅（調光）動作及び廊下照明装置２０ａ〜２０ｆの点滅（調光）動作により第三者３２０を威嚇することを示す威嚇用指示情報を照明制御装置２２に送信する。具体的には、サーバ装置１８は、インターネット１７を介して警報器２３から送信された第三者３２０の侵入の警報情報に対応する信号を取得する。また、サーバ装置１８は、上記警報情報に基づいて、建物１１０内に第三者３２０が侵入したと判定し、該判定結果に基づいて、上記威嚇用指示情報に対応する信号を照明制御装置２２に送信する。
【００８５】
この建物の統合制御システム２ａでは、図５に示すように、１階廊下１１１に設けられた出入口１１８から第三者３２０が侵入した場合、警報器２３は、侵入検知用通信ケーブル３０−１を介して侵入検知部３０の検知信号を取得すると共に、インターネット１７を介して当該検知信号に基づく侵入の警報情報をサーバ装置１８へ送信する。サーバ装置１８は、警報器２３から送信された警報情報を取得し、当該警報情報に基づいて、建物１１０内に第三者３２０が侵入したと判定する。そしてサーバ装置１８は、当該判定結果に基づいて、建物１１０に設置された全てのアンビエント照明装置１３ａ〜１３ｄ及び全ての廊下照明装置２０ａ〜２０ｆを点滅させることを示す威嚇用指示情報を照明制御装置２２に送信する。
【００８６】
照明制御装置２２は、サーバ装置１８から送信された、建物１１０に設置された全てのアンビエント照明装置１３ａ〜１３ｄ及び全ての廊下照明装置２０ａ〜２０ｆを点滅させることを示す威嚇用指示情報に基づいて、全てのアンビエント照明装置１３ａ〜１３ｄ及び廊下照明装置２０ａ〜２０ｆを点滅させる。具体的には、照明制御装置２２は、全てのアンビエント照明装置１３ａ〜１３ｄ及び全ての廊下照明装置２０ａ〜２０ｆを、同時に一斉に第三者３２０が眩しさを感じる照度或いは輝度をもって点滅させる。これにより、建物１１０内に侵入した第三者３２０に対する効果的な威嚇が行われる。
【００８７】
なお、図５では、建物１１０の１階廊下１１１に設けられた出入口１１８から第三者３２０が侵入した場合の、２階居室１１２及び３階居室１１３のアンビエント照明装置１３ａ〜１３ｄ、並びに１階廊下１１１の廊下照明装置２０ａ〜２０ｆの調光制御方法を説明したが、当該調光制御は、他の居室及び廊下においても同様に適用することができる。
【００８８】
（建物の統合制御システムの威嚇用調光制御の変形例）
上記威嚇用調光制御においては、警報器２３の警報情報に基づいて、建物１１０内に設けられた全てのアンビエント照明装置１３ａ〜１３ｄ及び全ての廊下照明装置２０ａ〜２０ｆの点滅（調光）制御をしたが、本発明における威嚇用調光制御はこれに限られるものではない。例えば、建物１１０内に設けられたアンビエント照明装置１３ａ〜１３ｄ及び廊下照明装置２０ａ〜２０ｆに人感センサ等を内蔵することも可能である。これにより、サーバ装置１８は、照明制御装置２２を介して第三者３２０を検知した人感センサ等の検知情報を取得し、この検知情報に基づいて、第三者３２０が移動した居室や廊下に設置されたアンビエント照明装置１３ａ〜１３ｄ及び廊下照明装置２０ａ〜２０ｆを点滅（調光）させることを示す威嚇用指示情報を、照明制御装置２２に送信することも可能である。これにより、第三者３２０を追尾するように当該第三者の移動に応じて当該アンビエント照明装置１３ａ〜１３ｄ及び廊下照明装置２０ａ〜２０ｆを点滅させることが可能となる。なお、サーバ装置１８は、全てのアンビエント照明装置１３ａ〜１３ｄ及び全ての廊下照明装置２０ａ〜２０ｆを点滅させることを示す威嚇用指示情報を照明制御装置２２に送信するが、これに限らず、アンビエント照明装置及び廊下照明装置のいずれかを点滅させることを示す威嚇用指示情報を照明制御装置２２に送信してもよい。
【００８９】
上述したように、第２実施形態によれば、サーバ装置１８は、自動火災報知器２１から送信された発報情報に基づいて、建物１１０において火災Ｆが発生していると判定すると共に、建物１１０のユーザ３１９を避難誘導するための最適な避難誘導経路を決定する。そして、サーバ装置１８は、上記で決定された当該最適な避難誘導経路に沿ってアンビエント照明装置１３ａ〜１３ｄ及び廊下照明装置２０ａ〜２０ｆを点滅させることによりユーザ３２０を避難誘導するための避難誘導用指示情報を照明制御装置２２に送信する。そして、照明制御装置２２は、自動火災報知器２１による火災の発報情報に応じ、最適な避難誘導経路に沿ってアンビエント照明装置１３ａ〜１３ｄ及び廊下照明装置２０ａ〜２０ｆの点滅（調光）制御をすることができる。これにより、建物１１０のユーザ３１９のための最適な避難誘導経路が確保される。このようにして、建物１１０に設置されたアンビエント照明装置１３ａ〜１３ｄ及び廊下照明装置２０ａ〜２０ｆを統合的に制御して、建物１１０における安全性を十分に高めることができる。
【００９０】
また、サーバ装置１８は、警報器２３から送信された警報情報に基づいて、建物１１０内に第三者３２０が侵入したと判定し、当該判定結果に基づいて、建物１１０に設置された全てのアンビエント照明装置１３ａ〜１３ｄ及び全ての廊下照明装置２０ａ〜２０ｆを点滅させることを示す威嚇用指示情報を照明制御装置２２に送信する。そして、照明制御装置２２は、警報器２３による第三者の侵入の警報情報に応じ、建物１１０内の全てのアンビエント照明装置１３ａ〜１３ｄ及び廊下照明装置２０ａ〜２０ｆの点滅（調光）制御をすることができる。これにより、建物１１０内に侵入した第三者３２０に対する効果的な威嚇を行うことができる。このようにして、建物１１０に設置されたアンビエント照明装置１３ａ〜１３ｄ及び廊下照明装置２０ａ〜２０ｆを統合的に制御して、建物１１０における安全性を十分に高めることができる。
【００９１】
＜第３実施形態＞
（建物の統合制御システムの構成）
図６は、本発明の第３実施形態に係る建物の統合制御システムの構成及び動作を示す概略図であり、（ａ）は設備機器の異常が検知された場合の、当該設備機器と同一建物に設けられた端末装置の動作を示し、（ｂ）は設備機器の異常が検知された場合の、当該設備機器が設置された建物とは別の建物内に設けられた端末装置の動作を示す。なお、図６において、図１と対応する部分については同一符号を付し、主として上記図１における建物の統合制御システムとの相違点について説明する。
【００９２】
図６（ａ）及び（ｂ）に示すように、建物の統合制御システム３は、建物１１０に設置され、建物１１０内の設備機器１１９の異常を検知する異常検知部４０と、異常検知部４０と通信可能に接続された制御装置２４と、インターネット１７を介して制御装置２４と通信可能に接続されたサーバ装置１８と、インターネット１７を介してサーバ装置１８と通信可能に接続された端末装置５０、５０−１とを備える。
【００９３】
建物１１０には設備機器の一例であるポンプ１１９が設置されている。本実施形態では設備機器としてのポンプが１つである例を示すが、複数の設備機器が設置されていてもよい。
【００９４】
異常検知部４０は、ポンプ１１９の異常により発生する音、振動、圧力及び／又は熱等の変化を自動的に検知するセンサであり、ポンプ１１９が設置される建物１１０内の設備室等に設けられている。異常検知部４０は、異常検知用通信ケーブル４０−１を介してポンプ１１９に接続され、異常通知用通信ケーブル４０−２を介して制御装置２４に接続されている。異常検知部４０とポンプ１１９との通信、及び異常検知部４０と制御装置２４との通信は、上述のように有線で行われてもよいし、無線で行われてもよい。
【００９５】
端末装置５０は、ポンプ１１９が設置された建物１１０全体を集中管理するための管理室等に設置されたコンピュータである（図６（ａ））。また、端末装置５０−１は、ポンプ１１９が設置された建物１１０とは別の建物１１０−１の管理室等に設置されたコンピュータである（図６（ｂ））。端末装置５０、５０−１には電力ケーブル（図示せず）が接続されており、端末装置５０、５０−１によるポンプ１１９の異常の通知は、後述するようにインターネット１７を介してサーバ装置１８により行われる。
【００９６】
制御装置２４は、建物１１０全体を集中管理するための管理室１１０ｂ等に設置されている。図６（ａ）及び（ｂ）では、管理室１１０ｂは建物１１０の外部に設けられているが、建物１１０の内部に設けられてもよい。また、制御装置２４は、異常検知部４０と通信可能なゲートウェイ（図示せず）を有している。また、制御装置２４は、上記ゲートウェイを介してインターネット１７と接続されている。
【００９７】
この制御装置２４は、異常検知部４０からの検知信号に基づいて、ポンプ１１９の異常の発報を行うと共に、該検知信号に基づいて、ポンプ１１９の異常の発報情報をサーバ装置１８に送信する。
【００９８】
サーバ装置１８は、インターネット１７を介して制御装置２４のゲートウェイに接続されており、各種アプリケーションを記録媒体（図示せず）から読み出して実行することにより各種制御を実行可能に構成されている。
【００９９】
サーバ装置１８は、制御装置２４から送信されたポンプ１１９の異常の発報情報を端末装置５０に送信する。具体的には、サーバ装置１８は、インターネット１７を介して制御装置２４から送信されたポンプ１１９の異常の発報情報に対応する信号を取得する。そして、サーバ装置１８は、上記発報情報に対応する信号を、建物１１０内に設置された端末装置５０（図６（ａ））に送信する。また、サーバ装置１８は、上記発報情報に対応する信号を、ポンプ１１９が設置された建物１１０以外の別の建物１１０−１内に設置された端末装置５０−１に送信する（図６（ｂ））。
【０１００】
（建物の統合制御システムの異常通知制御）
図６（ａ）及び（ｂ）に示すように、異常検知部４０が異常検知用通信ケーブル４０−１を介してポンプ１１９の異常を検知した場合、制御装置２４は、異常通知用通信ケーブル４０−２を介して異常検知部４０の検知信号を取得すると共に、インターネット１７を介して当該検知信号に基づく異常の発報情報をサーバ装置１８へ送信する。サーバ装置１８は、制御装置２４から送信された発報情報に基づいて、ポンプ１１９において異常が発生していると判定する。このとき、サーバ装置１８は、制御装置２４の発報情報に含まれる異常が発生したポンプ１１９の位置情報と、予め取得したポンプ１１９の位置情報とを紐付けることにより、異常が発生したポンプ１１９の位置を判定することもできる。そしてサーバ装置１８は、上記発報情報に基づいて、ポンプ１１９の異常の発生を示す通知情報を、建物１１０内に居所を有する管理者３２１の端末装置５０（図６（ａ））及び／又は建物１１０とは別の建物１１０−１に居所を有する管理者３２１−１の端末装置５０−１（図６（ｂ））に送信する。
【０１０１】
端末装置５０、５０−１は、サーバ装置１８から送信された上記発報情報に基づいて、ポンプ１１９の異常及び異常が発生したポンプ１１９の位置を管理者３２１、３２１−１に通知する。これにより、建物１１０の管理者３２１及び／又は別の建物１１０−１の管理者３２１−１に、ポンプ１１９の異常の通知が行われる。
【０１０２】
（建物の統合制御システムの異常通知制御の変形例）
上記異常通知制御においては、制御装置２４によるポンプ１１９の異常の発報情報に基づいて、当該ポンプ１１９が設置された建物１１０内の端末装置５０及び／又は別の建物１１０−１内に設置された端末装置５０−１への異常通知制御をしたが、本発明における異常通知制御はこれに限られるものではない。例えば、建物１１０の管理者３２１及び／又は別の建物１１０−１の管理者３２１−１が持ち運ぶモバイル端末（図示せず）を、インターネット１７を介してサーバ装置１８と接続することも可能である。これにより、端末装置５０、５０−１が設置された管理室等に管理者３２１、３２１−１がいない場合であっても、サーバ装置１８は、ポンプ１１９の異常の発生を示す通知情報を、管理者３２１、３２１−１のモバイル端末に送信することも可能である。
【０１０３】
上述したように、第３実施形態によれば、サーバ装置１８は、制御装置２４によるポンプ１１９の異常の発報情報に応じ、当該発報情報を端末装置５０、５０−１に送信する。そして端末装置５０、５０−１は、サーバ装置１８から送信された上記発報情報に基づいて、ポンプ１１９の異常を管理者３２１、３２１−１に通知する。これにより、建物１１０に設置されたポンプ１１９の異常を、当該建物内の管理者３２１や別の建物１１０−１の管理者３２１−１に通知することができ、建物１１０における安全性を十分に高めることができる。
【０１０４】
＜第４実施形態＞
図７は、本発明の第４実施形態に係る建物の統合制御システムの構成及び動作を示す概略図である。なお、図７において、図１及び図３と対応する部分については同一符号を付し、主として上記図１及び図３における建物の統合制御システムとの相違点について説明する。
【０１０５】
図７に示すように、建物の統合制御システム４は、建物１１０内の会議室１２０を予約するための予約情報を入力する入力装置６０と、会議室１２０内に設置されたアンビエント照明装置１３ｅ〜１３ｈと、会議室１２０の空気を調整する空調機１４ｃと、アンビエント照明装置１３ｅ〜１３ｈ及び空調機１４ｃと通信可能に接続された制御装置１６と、インターネット１７を介して制御装置１６及び入力装置６０と通信可能に接続されたサーバ装置１８とを備える。
【０１０６】
建物１１０は、１階居室１２１の天井１２１ａと会議室１２０の床１２０ｂとの間に設けられた第１天井空間１２２と、会議室１２０の天井１２０ａと建物１１０の最上部１１０ａとの間に設けられた第２天井空間１２３とを有する。
【０１０７】
入力装置６０は、例えば建物１１０のユーザ個人に割り当てられたコンピュータであるが、建物１１０のユーザにより共有されるコンピュータでもよい。入力装置６０への会議室の予約情報の入力は、当該入力装置６０へのユーザの入力動作により行われる。入力装置６０は、インターネット１７を介してサーバ装置１８に接続されている。
【０１０８】
アンビエント照明装置１３ｅ〜１３ｈは、会議室１２０内の全体を均一に照光する照明である。なお、アンビエント照明装置１３ｅ〜１３ｈは、会議室１２０の天井１２０ａ内或いは建物１１０の壁に取り付けられてもよい。アンビエント照明装置１３ｇ〜１３ｈの点灯／消灯は、後述するように制御装置１６により行われ、また、会議室１２０に設けられたアンビエント照明用スイッチ（図示せず）へのユーザの入力動作により行うこともできる。
【０１０９】
空調機１４ｃは、例えば第２天井空間１２３に設置される室内機であり、会議室１２０内の温度を調整するものである。空調機１４ｃのＯＮ／ＯＦＦは、後述するように制御装置１６により行われ、また、会議室１２０に設けられた空調機用リモコン（図示せず）へのユーザの入力動作により行うこともできる。空調機１４ｃは、空調機用通信ケーブル１４−１に接続されており、該空調機用通信ケーブル１４−１を介して制御装置１６に接続されている。制御装置１６と空調機１４ｃとの通信は、上述のように有線で行われてもよいし、無線で行われてもよい。
【０１１０】
制御装置１６は、アンビエント照明用通信ケーブル１３−１を介してアンビエント照明装置１３ｅ〜１３ｈと通信可能であり、空調機用通信ケーブル１４−１を介して空調機１４ｃと通信可能である。また、制御装置１６は、アンビエント照明装置１３ｅ〜１３ｈ及び空調機１４ｃと通信可能なゲートウェイ（図示せず）を有している。また、制御装置１６は、上記ゲートウェイを介してインターネット１７と接続されている。
【０１１１】
制御装置１６は、後述するサーバ装置１８から送信された照明指示情報及び／又は空調指示情報に基づいて、アンビエント照明装置１３ｅ〜１３ｈの点灯／消灯動作、及び空調機１４ｃの運転開始／停止の少なくとも一方を制御する。アンビエント照明装置１３ｅ〜１３ｈ及び空調機１４ｃの制御方法の詳細については後述する。
【０１１２】
サーバ装置１８は、インターネット１７を介して入力装置６０に接続されており、各種アプリケーションを記録媒体（図示せず）から読み出して実行することにより各種制御を実行可能に構成されている。
【０１１３】
サーバ装置１８は、入力装置６０から送信された会議室１２０の予約情報に基づいて、アンビエント照明装置１３ｅ〜１３ｈの点灯／消灯動作を制御することを示す照明指示情報、及び空調機１４ｃの運転開始／停止を制御することを示す空調指示情報の少なくとも一方を制御装置１６に送信する。具体的には、サーバ装置１８は、インターネット１７を介して入力装置６０に入力された会議室１２０の予約情報（予約日及び予約時間）に対応する信号を取得する。また、サーバ装置１８は、上記予約情報に基づいて、上記照明指示情報に対応する信号を制御装置１６に送信すると共に、上記空調指示情報に対応する信号を制御装置１６に送信する。
【０１１４】
（建物の統合制御システムの照明空調制御）
図７では、建物１１０内に設置された入力装置６０に会議室の予約情報が入力された場合の、建物１１０内の会議室１２０のアンビエント照明装置１３ａ〜１３ｄの照明制御方法及び空調機１４ｃの空調制御方法を説明する。
【０１１５】
図７に示すように、入力装置６０に会議室１２０の予約情報が入力された場合、サーバ装置１８は、インターネット１７を介して当該予約情報を取得する。例えば、サーバ装置１８は、上記予約情報に含まれる会議室１２０の場所、予約日、及び予約時間に関する情報と、予め取得した会議室１２０の場所に関する情報とを紐付けることにより、複数の会議室の中から特定の会議室１２０が予約されていると判定することができる。そして、サーバ装置１８は、入力装置６０に入力された予約情報に基づいて、アンビエント照明装置１３ｅ〜１３ｈの動作を制御することを示す照明指示情報、及び空調機１４ｃの動作を制御することを示す空調指示情報を制御装置１６に送信する。
【０１１６】
制御装置１６は、サーバ装置１８から送信された、アンビエント照明装置１３ｅ〜１３ｈの動作を制御することを示す照明指示情報、及び空調機１４ｃの動作を制御することを示す空調指示情報に基づいて、会議室１２０の予約日及び予約時間に合わせてアンビエント照明装置１３ｅ〜１３ｈを点灯させると共に、空調機１４ｃを稼働させる。例えば、制御装置１６は、会議室１２０の予約時間の開始前に予めアンビエント照明装置１３ｅ〜１３ｈを点灯し且つ空調機１４ｃを稼働し、会議室１２０の予約時間の終了後にアンビエント照明装置１３ｅ〜１３ｈを消灯し且つ空調機１４ｃを停止することができる。この結果、会議室１２０のユーザが会議室１２０に設けられたアンビエント照明用スイッチ及び空調機用リモコンをＯＮ／ＯＦＦ操作すること無く、会議室１２０のアンビエント照明装置１３ｅ〜１３ｈが点灯／消灯し、且つ空調機１４ｃが運転／停止する。これにより、会議室１２０を利用するユーザの利便性が確保されると共に、照明及び空調による消費電力が低減される。
【０１１７】
（建物の統合制御システムの照明空調制御の変形例）
上記照明空調制御においては、建物１１０内に設置された入力装置６０によって入力された会議室の予約情報に基づいて、会議室１２０のアンビエント照明装置１３ｅ〜１３ｈのＯＮ／ＯＦＦ制御、会議室１２０の空調機１４ｃの運転／停止制御を行ったが、本発明における照明空調制御はこれに限られるものではない。例えば、建物１１０の外部にある入力装置（例えばモバイル端末）によって入力された会議室１２０の予約情報をサーバ装置１８に送信することも可能である。
【０１１８】
また、会議室１２０内に制御装置１６に接続された人感センサ等を設置した場合、サーバ装置１８は、制御装置１６から送信された検知情報を取得し、当該検知情報に基づいてユーザの在席の有無を判定することができる。そしてサーバ装置１８は、当該判定結果に基づいて、会議室１２０の予約時間終了前であっても、会議が終了してユーザが不在になった場合には、アンビエント照明装置１３ｅ〜１３ｈを消灯させることを示す照明指示情報、及び空調機１４ｃを停止させることを示す空調指示情報を、制御装置１６に送信することができる。
【０１１９】
上述したように、第４実施形態によれば、サーバ装置１８は、入力装置６０によって入力された会議室１２０の予約情報に基づいて、会議室１２０のアンビエント照明装置１３ｅ〜１３ｈの点灯／消灯、及び／又は空調機１４ｃの運転／停止を制御する。このため、サーバ装置１８は、会議室１２０のユーザが会議室１２０に設けられたアンビエント照明用スイッチ及び空調機用リモコンをＯＮ／ＯＦＦ操作すること無く、会議室１２０のアンビエント照明装置１３ｅ〜１３ｈを点灯／消灯し、空調機１４ｃを運転／停止することができる。これにより、会議室１２０を利用するユーザの利便性が確保されると共に、照明及び空調による無駄な消費電力が低減される。このように建物１１０内の会議室１２０に設置されたアンビエント照明装置１３ｅ〜１３ｈ及び空調機１４ｃを統合的に制御して、建物１１０における省エネルギー性及び利便性を十分に高めることができる。
【符号の説明】
【０１２０】
１、２、２ａ、３、４  統合制御システム
１２ａ〜１２ｓ  タスク照明装置
１２−１  タスク照明用通信ケーブル
１３ａ〜１３ｈ  アンビエント照明装置
１３−１  アンビエント照明用通信ケーブル
１４ａ、１４ｂ、１４ｃ  空調機
１４−１  空調機用通信ケーブル
１５  換気装置
１５−１  換気装置用通信ケーブル
１６、２４  制御装置
１７  インターネット
１８  サーバ装置
１９ａ〜１９ｄ  火災検知部
１９−１  火災用通信ケーブル
２０ａ〜２０ｆ  廊下照明装置
２０−１  廊下照明用通信ケーブル
２１  自動火災報知器
２２  照明制御装置
２３  警報器
３０  侵入検知部
３０−１  侵入検知用通信ケーブル
４０  異常検知部
４０−１  異常検知用通信ケーブル
４０−２  異常通知用通信ケーブル
５０  端末装置
５０−１  端末装置
６０  入力装置
１１０  建物
１１０−１  別の建物
１１０ａ  最上部
１１０ｂ  管理室
１１１  １階廊下
１１２  ２階居室
１１３  ３階居室
１１１ａ、１１２ａ、１１３ａ、１２０ａ、１２１ａ  天井
１１２ｂ、１１３ｂ、１２０ｂ  床
１１４、１２２  第１天井空間
１１５、１２３  第２天井空間
１１６  第３天井空間
１１７  排気装置
１１８  出入口
１１９  ポンプ
１２０  会議室
１２１  １階居室
１５２  外気導入ダクト
１５３  還気ダクト
１５３ａ  吸込口
１５４  合流ダクト
１５５  外気処理部
１５６  給気ダクト
１５６ａ  吹出口
１５７  第１風量調整ダンパ
１５８  第２風量調整ダンパ
２０１〜２１８  デスク
３０１〜３１９  ユーザ
３２０  第三者
３２１  管理者
３２１−１  管理者
Ａ、Ｂ、Ｃ  デスク群
Ｆ  火災
【図１】
2018125222.tif 000003
【図２】
2018125222.tif 000004
【図３】
2018125222.tif 000005
【図４】
2018125222.tif 000006
【図５】
2018125222.tif 000007
【図６】
2018125222.tif 000008
【図７】
2018125222.tif 000009